(57)【特許請求の範囲】
【請求項１】
制御基板を収容した基板ケースを筐体の内面である裏板内面にブラケット部材を介して取り付ける遊技機の基板ケース取付構造であって、
前記ブラケット部材は、前記裏板内面に垂直な方向に立設し、前記基板ケースの左側面に設けられた係止突起と係合して前記基板ケースを保持する係合部の開口が右側に向けて形成された左ブラケット部と、前記裏板内面に垂直な方向に立設し、前記基板ケースが前方より取り付けられる際、弾性変形した後、元の状態に戻ることによって前記基板ケースの前方に当接して、前記基板ケースの前方への移動を規制する係止アームが形成された右ブラケット部と、前記裏板内面に垂直な方向に立設し、前記基板ケースの下方を支持するリブ部を備え、前記基板ケースが取り付けられた際に前記基板ケース裏面と前記裏板内面との間に位置する板部とを有し、
前記ブラケット部材の前記板部の裏板内面側には、前記裏板に貫通形成された複数の係止孔に係止して前記裏板内面に仮止めするための複数の係止部が形成され、
前記ブラケット部材は、前記複数の係止部が係止された前記裏板の前記係止孔以外の箇所において前記裏板にねじ止め固定される
ことを特徴とする遊技機の基板ケース取付構造。
【発明の詳細な説明】
【技術分野】
【０００１】
本発明は、主制御基板を収容した基板ケースを筐体内に取り付けた遊技機の基板ケース取付構造に関する。
【背景技術】
【０００２】
遊技機の一例としてスロットマシンが知られている。一般的にスロットマシンは、スタートレバーが操作されると、図柄が描かれた複数のリールが回転し、ストップボタンが押圧操作されると対応するリールが停止するようになっている。またスロットマシンには、入賞役を抽選する抽選手段が設けられ、毎回のゲームにおいて所定の確率で入賞役が抽選されるようになっており、ある入賞役に当選し、遊技者の目押しによりその入賞役に対応する図柄が所定の有効ライン上に表示されると、その入賞が確定してメダルが払い出されるようになっている。
【０００３】
このようなスロットマシンは、特許文献１に記載されているように、主制御基板が筐体内に設けられている。この主制御基板は、リール及びこれを回転駆動するステッピングモータを備えるリールユニットと、メダルを払い出すホッパ装置等の内部機器を統括するとともに、前述した抽選を行うなど、スロットマシン全体の遊技動作を制御する中枢的な役割を担っている。
【０００４】
このため、主制御基板２４は、図７（ａ）（分解斜視図）及び図７（ｂ）（斜視図）に示すように、カシメ状態で封止するとともに開放された場合にはその痕跡が残る封止機構４０ｂを有する基板ケース４０内に収容されている。これにより、例えば、抽選確率を変更した偽造ＲＯＭの差し替え等の不正行為を受け難くしている。また基板ケース４０を開けることなく、主制御基板２４の不正改造等を目視検査で発見できるようにするために、基板ケース４０は透明なプラスチックで形成されている。
【０００５】
このような主制御基板２４を収容した基板ケース４０は、その左右両端部を保持する左ブラケット４１及び右ブラケット４５を介して筐体の裏板の内面に取り付けられる。左ブラケット４１は、基板ケース４０の裏面に対向して所定厚さを有した平板部４２と、平板部４２の左側端部から立設するリブ部４３を有し、リブ部４３の内面には係合凹部４３ａが設けられている。右ブラケット４５は、基板ケース４０の裏面に対向して所定厚さを有した平板部４４と、平板部４４の右側端部から突出する支持突起部４７を有し、平板部４４の右側下部及び上部には前方に延びる係止アーム４９が設けられている。係合凹部４３ａ及び係止アーム４９によって、基板ケース４０が左ブラケット４１及び右ブラケット４５に保持された状態を維持する。
【０００６】
【特許文献１】特開２００６−１２９８９５号公報
【発明の開示】
【発明が解決しようとする課題】
【０００７】
このような従来の基板ケースを保持する左ブラケット及び右ブラケットを筐体の裏板にねじ等によって固定し、これらのブラケットに基板ケースを装着すると、これらのブラケットは互いに離反した位置に配置されているので、基板ケースの裏面と各ブラケットの平板部の内面と筐体の裏板とによって囲まれた空間部が形成される。このため、この空間部内に不正基板が挿入されると、主制御基板が不正基板からの影響を受けて誤作動して、公正な遊技の提供ができなくなる虞がある。
【０００８】
本発明は、このような問題に鑑みてなされたものであり、基板ケースの裏面と筐体の裏板との間に形成された空間部に挿入された不正基板による主制御基板に対する不正行為を防止することができる遊技機の基板ケース取付構造を提供することを目的とする。
【課題を解決するための手段】
【０００９】
このような課題を解決するため、本発明は、以下の特徴を有する。すなわち、制御基板（例えば、実施形態における主制御基板２４）を収容した基板ケースを筐体の内面である裏板内面にブラケット部材を介して取り付ける遊技機（例えば、実施形態におけるスロットマシン１）の基板ケース取付構造であって、
前記ブラケット部材は、前記裏板内面に垂直な方向に立設し、前記基板ケースの左側面に設けられた係止突起と係合して前記基板ケースを保持する係合部の開口が右側に向けて形成された左ブラケット部（例えば、実施形態における左ブラケット４１）と、前記裏板内面に垂直な方向に立設し、前記基板ケースが前方より取り付けられる際、弾性変形した後、元の状態に戻ることによって前記基板ケースの前方に当接して、前記基板ケースの前方への移動を規制する係止アームが形成された右ブラケット部（例えば、実施形態における右ブラケット４５）と、前記裏板内面に垂直な方向に立設し、前記基板ケースの下方を支持するリブ部を備え、前記基板ケースが取り付けられた際に前記基板ケース裏面と前記裏板内面との間に位置する板部（例えば、実施形態における板部材５２）とを有し、前記ブラケット部材の前記板部の裏板内面側には、前記裏板に貫通形成された複数の係止孔に係止して前記裏板内面に仮止めするための複数の係止部が形成され、前記ブラケット部材は、前記複数の係止部が係止された前記裏板の前記係止孔以外の箇所において前記裏板にねじ止め固定されることを特徴とする。
【発明の効果】
【００１３】
本発明に係わる遊技機によれば、上記特徴を有することによって、基板ケースの裏面と筐体の裏板との間に形成された空間部に挿入された不正基板による主制御基板に対する不正行為を防止可能な遊技機の基板ケース取付構造を提供することができる。
【発明を実施するための最良の形態】
【００１４】
以下、本発明に係わる遊技機の好ましい実施の形態を図１から図６に基づいて説明する。尚、本実施の形態は、遊技機の一例であるスロットマシンについて説明する。
【００１５】
スロットマシン１は、図１（斜視図）及び図２（内部構造図）に示すように、遊技者に面するフロントドア１０と、フロントドア１０を開閉自在に取り付けた筐体６０とを有して構成される。フロントドア１０は、機械的に強固な硬質プラスチック製のパネル部１１に矩形状の枠組み１３を取り付けて構成されている。
【００１６】
枠組み１３は、パネル部１１内の左右両側の側壁１１ａ，１１ｂに沿って取り付けられた一対の縦フレーム１４，１５と、パネル部１１の上壁１１ｃの内側に沿ってパネル部幅方向に延びる横フレーム１６とを有してなる。右側の側壁１１ｂに沿って取り付けられた縦フレーム１５に施錠装置ユニット１８が取り付けられている。
【００１７】
パネル部１１の上部には、演出用の上部ランプ１１ｄ、スピーカを備えた放音部１１ｅ，１１ｆ、液晶ディスプレイ等を有した演出表示装置１１ｇが配設されている。そして、パネル部１１の中間部には、透明な硬質プラスチック板で形成された略長方形状の透過窓ＷＤと演出用ランプ１１ｈ，１１ｉが設けられ、筐体６０内に設けられたリール装置６１のリールＲ１、Ｒ２、Ｒ３を、遊技者が透過窓ＷＤを介して見ることが可能となっている。
【００１８】
パネル部１１の中間部の下側には、遊技者が操作するための操作パネル部２０が設けられ、この操作パネル部２０には各種のボタン等（メダル投入部ＭＤ、ベットボタンＢ、スタートレバーＳＴ、ストップボタンＳＰ１，ＳＰ２，ＳＰ３）が設けられている。
【００１９】
操作パネル部２０の右端には、フロントドア１０を開錠するための施錠装置ユニット１８の鍵穴ＫＹが設けられ、鍵穴ＫＹに正規の鍵を挿入して開錠操作すると、フロントドア１０を筐体６０から開くことが可能となっている。また、操作パネル部２０の左端には、精算ボタンＭＲが設けられ、ゲームに賭けたメダルの払い出しを指示すると共に、メダルクレジット手段（図示せず）が内部保留したメダルの払い出しの指示が可能になっている。
【００２０】
パネル部１１の下部には、本スロットマシン１のゲーム内容を紹介等するための絵（図示せず）が描かれた下パネル３０が設けられ、下パネル３０の左右両側には演出用ランプ２２，２２が設けられている。下パネル３０の下方には、遊技メダルを払い出すためのメダル払出口１１ｊ、メダル受皿１１ｋ、放音部１１ｍが設けられている。
【００２１】
フロントドア１０の裏面側の上部には、前述した放音部１１ｅ，１１ｆのスピーカＳＬ，ＳＲが設けられ、スピーカＳＬ，ＳＲの間には前述した演出表示装置１１ｇが設けられている。演出表示装置１１ｇの下方には、透過窓ＷＤを形成する略長方形状の枠体１９が取り付けられており、この枠体１９の下方には、メダル投入部ＭＤより投入された投入物が正規の遊技メダルか否かを判別して振り分けるメダル選別装置Ｇ０と、メダル選別装置Ｇ０で振り分けられた遊技メダルを筐体６０側に設けられたホッパ装置ＨＰへ案内するガイド部材Ｇ１と、メダル選別装置Ｇ０で振り分けられたメダルをメダル払出口１１ｊへ案内するガイド部材Ｇ２と、ホッパ装置ＨＰから出力される払い出し用のメダルをメダル払出口１１ｊへ案内するガイド部材Ｇ３とが設けられている。メダル払出口１１ｊの近傍には、前述した放音部１１ｍを構成するスピーカＳＷが取り付けられている。
【００２２】
枠体１９とメダル選別装置Ｇ０との間には、長尺状の電気回路基板で形成された中央表示基板２１が取り付けられ、この中央表示基板２１には、前述した操作パネル部２０に設けられているベットボタンＢと、スタートレバーＳＴと、ストップボタンＳＰ１，ＳＰ２，ＳＰ３等が電気的に配線接続されている。これらＢ，ＳＴ，ＳＰ１，ＳＰ２，ＳＰ３の出力信号はハーネスを介して筐体６０に設けられた主制御基板２４に転送される。
【００２３】
筐体６０内には、主電源装置ＰＷＵと、ホッパ装置ＨＰから溢れた遊技メダルを収容する補助貯留部ＳＨＰが設けられる他、前述したリール装置６１が設けられている。主電源装置ＰＷＵ内には電源装置基板２５が設けられている。リール装置６１の上端には回胴装置基板２６が取り付けられ、リール装置６１の上方には前述した主制御基板２４が取り付けられている。主制御基板２４は、不正行為を防止するための基板ケース４０内に収容されている。基板ケース４０の取り付け構造については後述する。
【００２４】
主制御基板２４は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板２５、回胴装置基板２６及び後述するサブ制御基板１７に所定の指令を行って夫々に分散制御を行わせることにより、本スロットマシン１全体を集中制御する。
【００２５】
演出表示装置１１ｇの裏面側には、電気回路基板で形成されたサブ制御基板１７が設けられている。このサブ制御基板１７は、演出表示装置１１ｇによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板１７は、主制御基板２４からの制御信号に従って、上部ランプ１１ｄ，演出用ランプ１１ｈ，１１ｉ，２２とスピーカＳＲ，ＳＬ，ＳＷを駆動して遊技者の視覚及び聴覚に訴える演出を行うと共に、演出表示装置１１ｇを制御して遊技内容に応じた演出表示を行わせる。
【００２６】
このサブ制御基板１７は、不正行為を防止するための基板ケース２７内に収容されており、この基板ケース２７ごと一体として演出表示装置１１ｇの裏面側に着脱可能に取り付けられている。
【００２７】
主制御基板２４を収容した基板ケース４０は、図３（前側分解斜視図）及び図４（後側分解斜視図）に示すように、その左右両端部を保持する左右一対の左ブラケット４１及び右ブラケット４５を介して筐体６０の裏板６０ａの内面に取り付けられる。
【００２８】
左ブラケット４１は、基板ケース４０の裏面に対向してＬ字状に形成されて所定厚さを有する平板部４２と、平板部４２の左側端部及び下側端部から立設するリブ部４３を有し、左側端部のリブ部４３の内面には上下方向に所定間隔を有して配置された複数の係合凹部４３ａが設けられている。右ブラケット４５は、基板ケース４０の裏面に対向して逆Ｌ字状に形成されて所定厚さを有する平板部４４と、平板部４４の右側端部から突出する支持突起部４７と、平板部４４の下側端部から立設するリブ部４８とを有し、平板部４４の右側上部及び下部には前方に延びる一対の係止アーム４９が設けられている。左ブラケット４１及び右ブラケット４５の各平板部４２，４４には、ボルトを通すための挿通孔４２ａ，４４ａが複数設けられている。
【００２９】
係合凹部４３ａは、基板ケース４０の左側面に設けられた係止突起部４０ａと係合して基板ケース４０の左側を保持し、一対の係止アーム４９は、基板ケース４０の対応する右側下部及び右側上部と係合して基板ケース４０の右側を保持する。左ブラケット４１及び右ブラケット４５は、合成樹脂材料によって一体成型される。
【００３０】
左ブラケット４１及び右ブラケット４５は、それぞれの挿通孔４２ａ，４４ａの表側から裏側に向けて挿通されたボルトを筐体６０の裏板６０ａに設けられたねじ孔に螺合することで、筐体６０の裏板６０ａに取り付けられる。左ブラケット４１及び右ブラケット４５を筐体６０の裏板６０ａに取り付けて、基板ケース４０をこれらのブラケットによって保持させると、これらの平板部４２，４４の内面と、基板ケース４０の裏面と、筐体６０の裏板６０ａとによって囲まれる略矩形状の空間部５０が形成されるが、この空間部５０が板部材５２によって埋められる。
【００３１】
板部材５２は、空間部５０内に挿入されて所定厚さを有する板状のカバー本体部５３と、カバー本体部５３の下側中央部から下方へ延びてさらに前側に延びるリブ部５４とを有し、リブ部５４は基板ケース４０の中央部の下面に接して基板ケース４０の中央部を支持する。カバー本体部５３は、正面視において矩形状の空間部５０と略同じ大きさで且つ同じ矩形状有している。このため、カバー本体部５３が空間部５０内に挿入されると、空間部５０はカバー本体部５３によって埋められた状態になる。カバー本体部５３には、ボルト５５と螺合するナットを没入する孔部５３ａが複数設けられ、またカバー本体部５３の裏面側には、後側へ延びて上下方向に所定間隔を有して配設された上下一対の係止アーム５６が上下に２段設けられている。係止アーム５６は、後方側に延びる板状のアーム部５６ａとアーム部５６ａの先端部に設けられた突起部５６ｂとを有してなり、アーム部５６ａの基端部を支点としてアーム部５６ａの先端側が上下方向に弾性変形可能である。
【００３２】
これらの一対の係止アーム５６は、図５（背面図）をさらに追加して説明すると、筐体６０の裏板６０ａに設けられた通気孔６０ｂに係止されて、板部材５２を仮止めする働きをする。なお、通気孔６０ｂは、横方向に延びた長孔状であり、筐体６０の裏板６０ａに横方向に所定間隔を有して複数設けられるとともに、上下方向に所定間隔を有して複数段設けられている。
【００３３】
また板部材５２のカバー本体部５３に設けられた複数の孔部５３ａは、カバー本体部５３を空間部５０に挿入して係止アーム５６を通気孔６０ｂに係止させると、通気孔６０ｂのいずれかに連通するように配設されており、孔部５３ａの位置決め作業を容易にしている。
【００３４】
このように、筐体６０の裏板６０ａに取り付けられた一対の左ブラケット４１及び右ブラケット４５間に板部材５２を取り付けることにより、一対のブラケット間に形成された空間部５０を無くすことができる。このため、基板ケース４０の裏面側に不正基板を挿入可能なスペースを無くすことができ、基板ケース４０の裏面側に不正基板を設けて主制御基板２４を誤作動させる不正行為を防止することができる。
【００３５】
また、板部材５２の裏面に設けた係止アーム５６を筐体６０の通気孔６０ｂに挿着するだけで、板部材５２を筐体６０の所定位置に設けることができる。このため、板部材５２の取り付け位置のずれを無くして、板部材５２によって空間部５０を確実に埋めることができる。
【００３６】
なお、前述した実施の形態では、板部材５２の裏面に設けた係止アーム５６は片持ち支持されて上下方向に弾性変形可能なものを示したが、図６（断面図）に示すように、通気孔６０ｂに係合可能であってボルト５１を螺合可能な係合突起部４９'としてもよい。係合突起部４９'は、内部に貫通孔４９'ａを有し、貫通孔４９'ａの少なくとも先端側にボルト５１を螺合する雌ねじ４９'ｂが形成されている。この係合突起部４９'は、正面視において円形状、矩形状のいずれでもよい。このように内部に雌ねじ４９'ｂを形成した係合突起部４９'を板部材５２の裏面に設けることで、スロットマシン１を店の遊技島に一旦設置すると、フロントドア１０を開けて筐体６０内のリール装置６１及び基板ケース４０を取り外しても、筐体６０内から板部材５２を取り外すことはできない。つまり、遊技島からスロットマシン１を抜き取って筐体６０の裏板６０ａを露出させてボルト５１を脱着しないと板部材５２を取り外すことができない。このため、不正を働く者が板部材５２を外してスロットマシン１を改造することは困難であり、基板ケース４０の裏面側に不正基板を設けて主制御基板２４を誤作動させる不正行為をかなりの抑止力をもって防止することができる。
【００３７】
また前述した実施の形態では、主制御基板２４を収容する基板ケース４０を対象としたが、他の制御基板を収容する基板ケースを対象としてもよい。さらに前述した実施例では、スロットマシン１を例にしたが、パチンコやゲームセンタで用いられているゲーム機などを対象にしてもよい。
【図面の簡単な説明】
【００３８】
【図１】本発明の一実施の形態に係わる基板ケース取付構造を装備したスロットマシンの斜視図を示す。
【図２】このスロットマシンのフロントドアを開けた状態におけるフロントドア及び筐体の内部構造図を示す。
【図３】本発明の一実施の形態に係わる基板ケース取付構造の前側分解斜視図を示す。
【図４】本発明の一実施の形態に係わる基板ケース取付構造の後側分解斜視図を示す。
【図５】本発明の一実施の形態に係わる筐体の裏板に板部材を取り付けた筐体の背面図を示す。
【図６】本発明の他の実施の形態に係わる板部材の縦断面図を示す。
【図７】従来の基板ケース取付構造を示し、同図（ａ）は基板ケース取付構造の分解斜視図であり、同図（ｂ）はブラケットに基板ケースを取り付けた状態の組み立て斜視図である。
【符号の説明】
【００３９】
１  スロットマシン（遊技機）
２４  主制御基板（制御基板）
４０  基板ケース
４１  左ブラケット（ブラケット）
４５  右ブラケット（ブラケット）
５０  空間部
５２  板部材
５６  係止アーム（係止突起部）
６０  筐体
６０ｂ  通気孔（孔）
【図１】
0005598944.tif 000002
【図２】
0005598944.tif 000003
【図３】
0005598944.tif 000004
【図４】
0005598944.tif 000005
【図５】
0005598944.tif 000006
【図６】
0005598944.tif 000007
【図７】
0005598944.tif 000008